(57)【要約】ポータブル超音波デバイスを動作させ、ビデオカメラからのデジタルビデオ情報を表示する方法は、デジタルビデオ信号を処理するようにプロセッサ電子機器を構成する命令をデバイスのメモリの中にロードすることを含む。ビデオの要求が受信されると、超音波デバイスは、デジタルビデオ情報を受信する準備をし、少なくとも部分的に、ビデオ情報に基づいて、超音波デバイスのディスプレイに画像を表示することができる。一実施形態では、ビデオモダリティは、ポータブル超音波デバイスが、デジタルカメラデバイスがポートに接続されたことを検出すると、有効にされる。
2016511127.tif 000002
【特許請求の範囲】
【請求項１】
非一過性コンピュータ読み取り可能な媒体であって、前記媒体は、プログラマブルプロセッサによって実行可能な命令を含み、前記プログラマブルプロセッサは、ビデオカメラデバイスから受信されたデジタルビデオ情報に基づいて、画像を表示するように超音波デバイスを構成する方法を行い、前記方法は、
前記超音波デバイスがビデオディスプレイ構成において動作するように、超音波ディスプレイ構成のガンマ補正、スケーリング、および／またはカラーマッピングのための命令をメモリの中にロードすることと、
患者データを追跡するように構成されたサーバとのデータ接続を一時的に無効にすることと、
１つまたは複数の入力デバイスが画像処理を制御するように、超音波処理を制御するために、前記入力デバイスを再マッピングすることと
のうちの少なくとも１つによって行われる、非一過性コンピュータ読み取り可能な媒体。
【請求項２】
ビデオカメラからのデジタルビデオ情報を表示するようにポータブル超音波デバイスを動作させる方法であって、前記方法は、
デジタルビデオ信号を処理するようにプロセッサ電子機器を構成する命令を前記デバイスのメモリの中にロードすることと、
前記デバイスのビデオモダリティを有効にするための要求を受信することと、
前記要求に応答して、前記超音波デバイスが超音波撮像を一時停止するために適切な動作状態にあると決定することと、
デジタルビデオ情報を受信するように前記超音波デバイスを準備することと、
前記ビデオ情報に少なくとも部分的に基づいて、前記超音波デバイスのディスプレイ上に画像を表示することと
を含む、方法。
【請求項３】
前記ビデオモダリティを有効にするための要求を受信することは、前記デジタルカメラデバイスがポートに接続されたことを検出したことに応答して、前記超音波デバイスを準備することを含む、請求項２に記載の方法。
【請求項４】
前記ビデオモダリティを有効にするための要求を受信することは、前記超音波デバイスにおいて、少なくとも１つの入力デバイスを再マッピングすることを含む、請求項２に記載の方法。
【請求項５】
前記ビデオモダリティを有効にするための要求を受信することは、患者データを追跡するように構成されたサーバとのデータ接続を一時的に無効にすることを含む、請求項２に記載の方法。
【請求項６】
前記ビデオモダリティを有効にするための要求を受信することは、超音波ディスプレイのガンマ補正、スケーリング、および／またはカラーマッピングのためにメモリの中にロードすることを含む、請求項２に記載の方法。
【請求項７】
ビデオディスプレイデータおよび超音波デバイスで収集された超音波ディスプレイデータを共通医療記録の中に組み合わせるための方法であって、前記方法は、
超音波デバイスにおいて捕捉された超音波ディスプレイデータの全部または一部を含む超音波キャプチャを受信することと、
前記超音波デバイスを用いて、ビデオキャプチャが前記記録内に含むために利用可能であると決定した後、前記ビデオキャプチャを記録に付加することと、
前記記録を患者医療記録サーバに転送することと
を含む、方法。
【請求項８】
ビデオディスプレイデータおよび超音波ディスプレイデータを組み合わせるように構成されたコンピュータシステムであって、前記コンピュータシステムは、
いくつかのプログラム命令を記憶するためのメモリと、
プロセッサであって、前記プロセッサは、
前記デバイスのビデオモダリティを有効にするための要求を受信することと、
前記要求に応答して、前記超音波デバイスが超音波撮像を一時停止するために適切な動作状態にあると決定することと、
デジタルビデオ情報を受信するように前記超音波デバイスを準備することと、
前記ビデオ情報に少なくとも部分的に基づいて、前記超音波デバイスのディスプレイ上に画像を表示することと
のために、前記命令を実行するように構成されている、プロセッサと
を備える、コンピュータシステム。
【請求項９】
前記超音波デバイスを準備することは、ディスプレイドライバ回路、通信回路、ディスプレイドライバ処理、および／またはデータ処理のうちの少なくとも１つを準備することを含む、請求項８に記載のコンピュータシステム。
【請求項１０】
前記超音波デバイスを準備することはさらに、前記ディスプレイドライバ回路のマルチプレクサを切り替えることを含む、請求項９に記載のコンピュータシステム。
【発明の詳細な説明】
【技術分野】
【０００１】
（技術分野）
以下の開示は、概して、ポータブル超音波デバイスに関し、特に、そのようなデバイス上での超音波およびビデオ画像に基づく画像表示に関する。
【背景技術】
【０００２】
（背景）
麻酔科医、救急救命医療人員、および現場のオペレータは、ポータブル超音波デバイスを最も使用するユーザの一部である。そのコンパクト性および軽量サイズのため、ポータブルデバイスは、迅速に展開されることができる。技術が進化するにつれて、ポータブル超音波デバイスは、より遍在するようになりつつある。しかしながら、そのポータブルサイズにもかかわらず、ポータブル超音波デバイスは、依然として、特定の制限を有し得る。
【発明の概要】
【課題を解決するための手段】
【０００３】
本開示の多くの側面は、以下の図面を参照してより深く理解され得る。図面中の構成要素は、必ずしも、正確な縮尺ではない。代わりに、本開示の原理を明確に例証する際、強調される。
【図面の簡単な説明】
【０００４】
【図１】図１は、本技術のある実施形態に従って構成されるポータブル超音波デバイスおよびビデオカメラデバイスを含むシステムの部分的概略等角図である。
【図２】図２は、本技術のある実施形態に従って構成される超音波プロセッサ電子機器を例証するブロック図である。
【図３】図３は、デジタルビデオ表示能力を有するように従来の超音波デバイスを構成するためのルーチンを例証する流れ図である。
【図４】図４は、超音波デバイスのビデオモダリティを動作させるためのルーチンを例証する流れ図である。
【図５】図５は、撮像データの異なるモダリティを共通電子医療記録の中に組み合わせるためのルーチンを例証する流れ図である。
【発明を実施するための形態】
【０００５】
（詳細な説明）
以下により詳細に論じられるように、本明細書に開示される本技術は、ポータブル超音波デバイスに関し、特に、ビデオカメラデバイスから受信されたデジタルビデオ情報（例えば、ビデオの１つまたは複数のフレーム）に基づいて画像を表示することができる、ポータブル超音波デバイスに関する。例えば、ポータブル超音波デバイスは、ＵＳＢ（ユニバーサルシリアルバス）データに基づいて、画像を表示することができる。超音波撮像情報を作成することに関連する基本構成要素および機能ならびに対応する実装は、公知であるため、それらは、説明される実施形態を不必要に曖昧にすることを回避するために、本明細書では詳細に図示または説明されない。
【０００６】
図１は、本技術の実施形態に従って構成される、超音波システム１００のブロック図である。超音波システム１００は、超音波デバイス１０２（例えば、ポータブル超音波デバイス）と、変換器アセンブリ１０３と、ビデオカメラデバイス１０５（「ビデオデバイス１０５」）とを含む。
【０００７】
超音波デバイス１０２は、折畳式筐体１１０（例えば、クラムシェル型筐体）と、入力デバイス１１３と、ディスプレイ１１４と、Ｉ／Ｏポート１１５ａおよび１１５ｂ（ともに１１５と称される）とを含む。入力デバイス１１３ａ−１１３ｃ（ともに１１３と称される）として、例えば、タッチパッド１１３ａ、制御部１１３ｂ（例えば、ボタン、スイッチ、ノブ等）、キーボード１１３ｃ、ならびに他の好適な入力デバイス（例えば、タッチスクリーン、音声作動式入力、スクロールホイール等）が挙げられ得る。ディスプレイとして、例えば、ＬＣＤ（液晶ディスプレイ）、ＬＥＤ（発光ダイオード）またはＯＬＥＤ（有機発光ダイオード）ディスプレイ、ＣＲＴ（陰極線管）モニタ、ならびに当技術分野において公知の任意の他の好適なディスプレイデバイスが挙げられ得る。図示される実施形態では、Ｉ／Ｏポート１１５は、変換器ポート１１５ａおよびユニバーサルシリアルバス（ＵＳＢ）ポート１１５ｂを含む。しかしながら、他の実施形態では、Ｉ／Ｏポート１１５は、シリアル、パラレル、または当技術分野において公知の他の好適な通信ポートを含むことができる。一特定の実施形態では、変換器ポート１１５ａは、変換器アセンブリに特有の専用構成を有する。
【０００８】
超音波デバイス１０２はさらに、入力デバイス１１３、ディスプレイ１１４、およびＩ／Ｏポート１１５に動作可能に結合される、超音波電子機器１１２（概略的に示される）を含む。図２を参照して以下により詳細に説明されるように、超音波電子機器１１２は、プログラマブルプロセッサ２４０（図２）と、変換器アセンブリ１０３およびビデオデバイス１０５を動作させるように構成される他の電子構成要素とを含む。
【０００９】
変換器アセンブリ１０３は、筐体１２０と、変換器（例えば、圧電変換器；見えない）と、変換器電子機器１２３（概略的に示される）とを含む。変換器電子機器１２３として、例えば、変換器アレイ、特定用途向け集積回路（ＡＳＩＣ）、フィールドプログラマブルアレイ（ＦＰＧＡ）、および／または他の好適な回路が挙げられ得る。そのような回路は、概して、変換器を動作させ、音響信号を処理することにより、超音波情報１２５をデジタルおよび／またはアナログ信号の形態で生成するように構成される。第１の電気ケーブル１０８ａ（概略的に示される；例えば、電気ケーブル）は、変換器ポート１１５ａを介して、超音波情報１２５を超音波電子機器１１２に提供することができる。
【００１０】
ビデオデバイス１０５は、筐体１３０と、光学入力１３２（例えば、レンズ）と、光学およびビデオ電子機器１３３（概略的に示される）とを含む。光学およびビデオ電子機器１３３は、センサ（例えば、ＣＣＤセンサ）、光学検出器、および／または他の好適な回路を含むことができる。動作時、光学およびビデオ電子機器１３３は、光学入力１３２に入射する光を処理することにより、デジタルビデオ情報１３４をデジタル信号の形態で作成するように構成される。第２の電気ケーブル１０８ｂ（概略的に示される；例えば、ＵＳＢケーブル）は、ＵＳＢポート１１５ｂを介して、ビデオ情報を超音波電子機器１１２に提供することができる。
【００１１】
ビデオデバイス１０５は、光（例えば、紫外線光（１０ｎｍ−３８０ｎｍ）および可視光（３８０ｎｍ−７００ｎｍ）、ＩＲ光（７００ｎｍ−１ｍｍ）等）をデジタルビデオ情報１３４に変換する種々のデバイスのいずれかを含むことができる。例えば、ビデオデバイス１０５は、血管系、器官空洞、気道、消化管、身体管腔等内に展開される、内部カメラ（図示されるように）を含むことができる。他の実施形態では、ビデオデバイス１０５は、ハンドヘルドプローブ等のハンドヘルドカメラを含むことができる。一特定の実施形態では、ビデオデバイス１０５は、Ｖｉｖｉｄ  Ｍｅｄｉｃａｌ，  Ｉｎｃ．（１０２３  Ｃｏｒｐｏｒａｔｉｏｎ  Ｗａｙ  Ｐａｌｏ  Ａｌｔｏ，  ＣＡ  ９４３０３）製ＶｉｖｉｄＴｒａｃ内視鏡デバイスを含むことができる。
【００１２】
いくつかの実施形態では、ＵＳＢポート１１５ｂは、ＵＳＢビデオデバイスクラス（ＵＶＣ）プロトコルを通じてビデオを出力する、ビデオデバイスのための好適な接続を提供する。しかしながら、これらの実施形態のいくつかでは、デバイスは、病院グレードの電気要件を満たさない、既製デバイスであり得る。故に、いくつかの実施形態では、アイソレータデバイス１１８（例えば、ＵＳＢアイソレータ）が、ビデオデバイス１０５とＵＳＢポート１１５ｂとの間に接続され、好適な電気絶縁を提供することができる。
【００１３】
明確性の目的のために図示されないが、超音波システム１００は、他の構成要素を含むことができる。例えば、１つまたは複数のバッテリが、超音波デバイス１０２に給電することができる。同様に、１つまたは複数のバッテリは、変換器アセンブリ１０３および／またはビデオデバイス１０５に給電するように構成されることができる。いくつかの実施形態では、ワイヤレス通信リンクが、ケーブル１０８ａおよび／または１０８ｂの一方または両方の代わりに使用され得る。他の実施形態では、超音波デバイス１０２は、非折畳式筐体および／またはタッチスクリーンディスプレイを有することができる。一実施形態では、超音波デバイス１０２は、ＳｏｎｏＳｉｔｅ  Ｆｕｊｉｆｉｌｍ，  Ｉｎｃ．（２１９１９  ３０ｔｈ  Ｄｒ．  ＳＥ  Ｂｏｔｈｅｌｌ，  ＷＡ  ９８０２１）製Ｍ−ＴＵＲＢＯ  Ｕｌｔｒａｓｏｕｎｄ  Ｍａｃｈｉｎｅを含むことができる。加えて、いくつかの実施形態では、超音波システム１００は、非ポータブル超音波デバイスを含むことができる。
【００１４】
図２は、超音波電子機器１１２をより詳細に例証するブロック図である。超音波電子機器１１２は、プログラマブルプロセッサ２４０と、メモリ２４２とを含み、プログラマブルプロセッサ２４０は、例えば、図３−５の以下に説明される流れ図において具現化され得る、種々のプロセス、論理フロー、およびルーチンを行うために、メモリ２４２内の命令を実行するように構成される。したがって、図示される実施形態は、超音波電子機器１１２の全体に分散され得る構成要素として、メモリ２４２を表す。例えば、メモリ２４２の一部は、例えば、カラーテーブルを記憶するためのディスプレイドライバにおけるメモリレジスタを表すことができ、メモリ２４２の別の部分は、例えば、デジタルビデオ情報１３４をバッファするためのメモリバッファを表すことができる。好適なプロセッサおよびメモリの他の側面は、本技術の種々の実施形態を不必要に曖昧にしないように、本明細書の最後の部分に説明される。
【００１５】
プログラマブルプロセッサ２４０は、超音波回路２４４、デジタル信号プロセッサ（ＤＳＰ）２４６、ディスプレイドライバ２４８、および通信デバイス２５０を動作させるように構成される。プログラマブルプロセッサ２４０は、超音波回路２４４に、超音波ディスプレイデータ２５２を作成するように命令することができる。例えば、超音波回路２４４は、超音波情報１２５を表示可能形式に処理するために、例えば、ＦＰＧＡ、ＡＳＩＣＳ、および（他の）ＤＳＰを含むことができる。プログラマブルプロセッサ２４０はまた、ＤＳＰ２４６に、ビデオディスプレイデータ２５３を作成するように命令することができる。プログラマブルプロセッサ２４０は、ディスプレイドライバ２４８に、ディスプレイ１１４（図１）を駆動するために好適な画像（表示）信号２５４を作成するように命令することができる。一実施形態では、プログラマブルプロセッサ２４０は、マルチプレクサ（ＭＵＸ）２５６または他の切替デバイスに、ディスプレイドライバ２４８の入力を超音波ディスプレイデータ２５２、ビデオディスプレイデータ２５３、または超音波ディスプレイデータ２５２およびビデオディスプレイデータ２５３の両方に変更するように命令することができる。例えば、いくつかの実施形態では、画像信号２５４は、超音波画像およびビデオ画像の両方の分割画面画像を作成することができる。
【００１６】
プログラマブルプロセッサ２４０はまた、通信デバイス２５０（例えば、ネットワークアダプタ、モデム、ワイヤレス送信機等）を動作させ、ネットワークを経由して通信させることができる。例えば、以下により詳細に説明されるように、プログラマブルプロセッサ２４０は、超音波画像、ビデオ画像、および／または患者医療記録情報をＤＩＣＯＭ（ｄｉｇｉｔａｌ  ｉｍａｇｉｎｇ  ａｎｄ  ｃｏｍｍｕｎｉｃａｔｉｏｎｓ  ｉｎ  ｍｅｄｉｃｉｎｅ）サーバ等のサーバに送信し、それらをそこから受信することができる。
【００１７】
本実施形態の一側面では、超音波デバイス１０２（図１）は、本来デジタルビデオ情報１３４を処理するように製造も設計もされていない従来の超音波デバイスである。例えば、従来の超音波デバイスは、典型的には、超音波情報１２５（例えば、アナログ信号の形態で受信された超音波情報）を表示するのに好適である。これらのデバイスは、制限されたデジタル信号処理能力を有する旧式の電子機器を有し得る、または超音波情報を処理するようにカスタマイズされるが、デジタルビデオ情報１３４を取り扱わない、ＡＳＩＣＳ等の特定用途向け電子機器を有し得る。加えて、従来の超音波デバイスは、典型的には、グレースケールおよび／または限定されたカラーの量でのみ画像信号を出力する。本タイプの出力は、超音波のために好適であり得るが、ビデオおよび写真の表示のためには望ましくない。
【００１８】
図３は、デジタルビデオ表示能力を有するように従来の超音波デバイスを構成するためのルーチンを例証する流れ図３６０である。いくつかの実施形態では、ルーチン３６０は、従来の超音波デバイスのメモリ２４２の中にロードされる、コンピュータプログラムとして記憶されることができる。例えば、プログラムは、ＵＳＢフラッシュドライブ（例えば、ＵＳＢスティックまたはサムドライブ）を使用して、ＵＳＢポート１１５ｂを介して、または通信デバイス２５０を介してネットワークを経由して、メモリ２４２の中にロードされることができる。別の実施形態では、コンピュータプログラムは、ビデオデバイスの販売に関連して、配信、ライセンス許諾、または販売され得る。いくつかの実施形態では、ＣＤ−ＲＯＭ、ＵＳＢスティック、またはコンピュータプログラムを含む他の好適な記憶媒体は、ビデオデバイスの同一製品パッケージング内にあることができる。他の実施形態では、ビデオデバイスを販売する企業は、コンピュータプログラムをダウンロードする方法の指示をユーザに提供することができる（例えば、ユーザが、ライセンスキーを購入後）。
【００１９】
ブロック３６１では、ルーチン３６０は、超音波電子機器１１２のグラフィック特性を修正する。一実施形態では、ルーチン３６０は、ディスプレイドライバ２４８および／またはＤＳＰ２４６において、メモリ２４２内の値を変更することができる。いくつかの実施形態では、プログラマブルプロセッサ２４０は、フレームバッファを再構成することにより、ガンマ補正、スケーリング、および／またはカラーマッピングに関連する命令をロードすることができる。例えば、従来の超音波デバイスの画像信号２５４は、グレースケールである一方、ビデオカメラは、本質的に、フルカラーを作成する。いくつかの事例では、従来の超音波デバイスは、ドップラーカラーフローを表示するために、限定された色の数をレンダリングすることができる。しかしながら、本色は、約１６〜１２８色の範囲に限定され、ビデオのために要求される色の全範囲を表示するために好適ではない。
【００２０】
ブロック３６２では、ルーチン３６０は、超音波電子機器１１２の構成要素を一時的に無効にすることができる。例えば、従来の超音波デバイスは、頻繁に、通信デバイス２５０を使用し、ＤＩＣＯＭサーバにおける患者医療情報を更新し得る。しかしながら、頻繁な更新は、処理リソースの乱費となり得る。例えば、これは、デジタルビデオ情報を飽和させ、超音波電子機器１１２内に機能停止を生成し得る。
【００２１】
ブロック３６３では、ルーチン３６０は、超音波電子機器１１２に対して入力デバイス１１３を再マッピングすることができる。例えば、超音波モダリティの側面（例えば、電力、焦点等）を制御するために使用される機械的ダイヤルは、ビデオモダリティの側面（例えば、フレームレート、コントラスト、画像サイズ等）を制御するために再マッピングされることができる。
【００２２】
図４は、超音波デバイス１０２のビデオモダリティを動作させるためのルーチンを例証する、流れ図４７０である。本実施形態の一側面では、ルーチン４７０は、超音波デバイス１０２がビデオ能力とともに構成された後、実施されることができる。開始ブロック後、ルーチン４７０は、超音波デバイス１０２のビデオモダリティを有効にする要求を受信する（ブロック４７１）。一実施形態では、要求は、超音波デバイス１０２がスタンバイモードにある間に受信される。別の実施形態では、要求は、超音波デバイスが超音波モダリティにある間に受信される。
【００２３】
いくつかの実施形態では、ユーザ入力は、ユーザが入力デバイス１１３のうちの１つまたは複数のものを動作させることによって生成される。例えば、ユーザは、ボタン、スイッチ、タッチスクリーンアイコン等をトグルすることができる。別の実施形態では、ユーザは、ビデオデバイス１０５とＵＳＢポート１１５ｂを接続することによって、ビデオモダリティを直ちに有効にすることができる。例えば、プログラマブルプロセッサ２４０は、ＵＳＢケーブルが、例えば、ＵＳＢポート１１５ｂに接続されたことを検出することができる。この点において、ユーザは、入力デバイス１１３を動作させることを要求されない。
【００２４】
ブロック４７２では、ルーチン４７０は、超音波デバイス１０２がビデオモダリティに切り替えるために適切な状態にあるかどうかを決定する。例えば、針誘導生検等の重要な手技の間、ルーチン４７０は、ユーザが、モダリティを変更することを防止することができる。超音波デバイス１０２が適切な状態にない場合、ルーチン４７０は、終了することができる。いくつかの実施形態では、ルーチン４７０はまた、ビデオモダリティが利用不可能であることをユーザにアラートすることができる。
【００２５】
ブロック４７３では、ルーチン４７０は、ビデオディスプレイデータ２５３を取り扱うために、超音波デバイス１０２を準備する。前述のように、これは、１つまたは複数の入力デバイス１１３を再マッピングすること、グラフィックを調節すること、および／または構成要素を無効にすることを含むことができる。いくつかの実施形態では、ルーチン４７０は、超音波電子機器１１２（例えば、ディスプレイドライバ２４８）に信号伝達し、ビデオディスプレイデータ２５３をディスプレイ１１４に伝送する。一実施形態では、ルーチン４７０は、超音波電子機器１１２内のマルチプレクサ２５６に信号伝達し、超音波ディスプレイデータを出力する第１の信号経路から、ビデオディスプレイデータ２５３を出力する第２の信号経路に入力を変更する。別の実施形態では、ルーチン４７０は、超音波電子機器１１２に信号伝達し、ビデオディスプレイデータ２５３および超音波ディスプレイデータ２５２の両方に対応する画像をディスプレイ１１４の別個の部分に表示する。
【００２６】
ブロック４７４では、ルーチン４７０は、ビデオデバイス１０５から受信されたビデオ情報（すなわち、ＵＳＢポート１１５ｂで受信されたビデオデータ）を処理することによって、ビデオディスプレイデータ２５３を生成する。一実施形態では、ルーチン４７０は、超音波電子機器１１２に信号伝達し、ｍＪＰＥＧデータストリームの形態で受信されたデジタルビデオ情報１３４を処理する。例えば、ルーチン４７０は、ＵＳＢドライバ（例えば、ＵＳＢビデオクラス（ＵＶＣ）ドライバ）に、デジタルビデオ情報１３４をデコードするように命令することができる。別の実施形態では、プログラマブルプロセッサ２４０は、ＤＳＰ２４６に、デジタルビデオ情報１３４を処理（または、さらに処理）するように命令する。例えば、ＤＳＰ２４６は、デジタルビデオ情報１３４を受信し、ビデオディスプレイデータ２５３をＹＵＶデータの形態で出力することができる。
【００２７】
いくつかの実施形態では、ルーチン４７０はまた、超音波電子機器１１２に、制御情報をビデオデバイス１０５に通信するように命令することができる（例えば、ＵＳＢポート１１５ｂを介して）。例えば、本情報は、ビデオの特定のフレームサイズ、圧縮レート等を示すことができる。一実施形態では、これらのパラメータは、超音波電子機器１１２によって自動的に初期化されるデフォルトパラメータである。別の実施形態では、これらは、ユーザ選好に従って設定される。この点において、超音波電子機器１１２は、いくつかの実施形態では、ビデオデバイス１０５との双方向性通信のために構成されることができる。
【００２８】
決定ブロック４７５では、ルーチン４７０は、ビデオディスプレイデータ２５３および／またはデジタルビデオ情報１３４をビデオクリップまたは静止画像で捕捉するかどうかを決定する。捕捉が要求されない場合、ルーチン４７０は、ブロック４７６に進み、ビデオ画像を作成する。しかしながら、ビデオディスプレイデータ２５３および／またはデジタルビデオ情報１３４が捕捉されるべきである場合、ルーチン４７０は、収集されることに対するルーチン５８０（図５）を開始することができる。以下により詳細に説明されるように、捕捉されたビデオクリップまたは静止画像は、ＤＩＣＯＭプロトコルに従ってフォーマットされ、例えば、ＤＩＣＯＭサーバ内に記憶されることができる。多くの実施形態では、ルーチン４７０およびルーチン５７０は、同時にまたはほぼ同時に、実施される。いくつかの実施形態では、デジタルビデオ情報１３４は、捕捉され、次いで、視認のために後の段階で処理されることができる。例えば、ビデオデータを含むことができるＵＳＢ  ＭＳＣ（マスストレージクラス）ファイルが、捕捉され、ビデオディスプレイデータを表示するために後に処理されることができる。他の実施形態では、ＨＬ７プロトコルに従って動作するもの等、他のタイプのサーバおよびプロトコルが、利用されることができる。
【００２９】
再び、図４を参照すると、ブロック４７６では、ルーチン４７０は、ビデオディスプレイデータ２５３を使用し、ディスプレイドライバ２４８のための画像信号２５４（例えば、ＲＧＢ信号）を作成する。いくつかの実施形態では、ルーチン４７０はまた、超音波電子機器１１２に、ビデオディスプレイデータ２５３と組み合わせて、他の情報を表示するように命令することができる。例えば、ルーチン４７０は、グラフィカルメニューをディスプレイ１１４に表示することができる。
【００３０】
ブロック４７７では、ルーチン４７０は、画像信号２５４の出力を継続するかどうかを決定する。出力が継続されるべき場合、ルーチン４７０は、ブロック４７１に戻ることができる。しかしながら、ビデオモダリティが停止すべき場合、ルーチン４７０は、終了することができる。例えば、ルーチン４７０は、ユーザが超音波撮像を進めることを要求する入力を提供すると、終了してもよい。代替として、ルーチン４７０は、ユーザがスタンバイモードになることを要求する入力を提供すると、終了してもよい。
【００３１】
本技術のさらに別の側面では、超音波デバイス１０２を動作させるための方法は、電子医療記録の生成を促進するように、データ収集モダリティ間を変更することを含む。一般に、医師、臨床スタッフ、およびその他は、電子医療記録を使用して、患者の医療履歴を精査し、保険会社に請求し、かつ／または医療手技を監査する（例えば、医療ミスに対する賠償請求後）ことができる。多くの事例では、電子医療記録は、ＤＩＣＯＭプロトコルにフォーマットされ、ＤＩＣＯＭサーバ、Ｈ７サーバ、あるいは他の好適なサーバ等の遠隔サーバに、またはプロトコルで記憶される。ほとんどの超音波デバイスは、ネットワークアダプタまたはモデムを有し、超音波画像が患者の電子医療記録内に記憶され得るように、超音波画像を直接ＤＩＣＯＭサーバに中継する。ほとんどの部分に対して、本記憶は、超音波デバイスとの限定された量のオペレータ相互作用のみ要求する。例えば、オペレータは、患者の氏名を打ち込む、画像上の標的区域を識別する等を行うように促され得る。しかしながら、多くの医療撮像デバイスは、本能力を有していない。例えば、従来のコンピュータまたは類似機器は、通常、ビデオ対応内視鏡を動作させるように要求されるが、コンピュータは、デジタル画像データをＤＩＣＯＭサーバに容易に提供することができない。むしろ、ビデオデータを記憶するために、施術者は、画像ファイルを見つけ、サーバ上の電子医療ファイルに（すなわち、コンピュータネットワークを経由して）アクセスし、画像ファイルを電子ファイルに付加しなければならない。
【００３２】
図５は、ビデオディスプレイデータ２５３および超音波ディスプレイデータ２５２を共通医療記録の中に組み合わせるためのルーチンを例証する、流れ図５８０である。一実施形態では、例えば、共通医療記録は、ＤＩＣＯＭプロトコルの第１０巻（媒体相互交換のための媒体保存とファイルフォーマット）に従ってフォーマットされる。ルーチン５８０は、開始ブロック後のブロック５８１から始まる。一実施形態では、プログラマブルプロセッサ２４０は、新しい医療記録を開始ブロックにおいてインスタンス化する。別の実施形態では、プログラマブルプロセッサ２４０は、医療記録を開き、ファイルをインスタンス化するために、ＤＩＣＯＭプロトコルに従って、ビデオディスプレイデータ２５３、超音波ディスプレイデータ２５２、および／または画像信号２５４を他の患者特有情報に付加することができる。
【００３３】
ブロック４８３では、ルーチン５８０は、患者、またはいくつかの実施形態では、患者のコホートとの相互から得られたビデオディスプレイデータ２５３の全部または一部を含むディスプレイデータキャプチャファイルを受信する。いくつかの実施形態では、ルーチン５８０は、医療記録が、超音波ディスプレイデータ２５２を超音波キャプチャとしてさらに含むべきかどうかを決定することができる（ブロック４８５）。医療記録が、超音波キャプチャを伴わずに完了する（例えば、超音波ディスプレイデータ２５２も、超音波ディスプレイデータ２５２から導出された画像信号２５４も含まない）場合、ルーチン５８０は、ブロック５８７に進み、開始ブロックにおいて作成された新しい医療記録および／またはブロック５８１においてプログラマブルプロセッサ２４０によって開かれた医療記録等のファイル内にビデオキャプチャを記憶することができる。しかしながら、超音波キャプチャが、ファイル内に含めるために利用可能である場合、ルーチン５８０は、ブロック５８９に進み、超音波キャプチャをファイル内に記憶することができる。
【００３４】
決定ブロック５９１では、ルーチン５８０は、さらにキャプチャが収集されるべきかどうかを決定する。いったんルーチン５８０が、さらなるデータキャプチャが記憶されるべきではないと決定すると、ファイルは、ブロック５９３で完了されることができる。ルーチン５８０が、さらにデータキャプチャ（例えば、ディスプレイデータキャプチャおよび／または超音波キャプチャ）がファイル（例えば、医療記録）内に記憶されるべきであると決定する場合、プログラマブルプロセッサ２４０は、ブロック５９３においてファイルが完成する前、および／またはルーチンが終了する前に、ブロック５９５において、そのようなさらなるキャプチャを待機することができる。
【００３５】
前述の多くの医療撮像デバイスと対照的に、ルーチン５８０の側面は、超音波デバイス１０２および／または超音波電子機器１１２によって提供されるように、超音波データ（超音波ディスプレイデータ２５２）に加え、デジタル画像データ（例えば、ビデオディスプレイデータ２５３）を直接ＤＩＣＯＭサーバに送達することを提供する。当業者は、ルーチン５８０が、付加的ステップを含む、および／または、例えば、超音波キャプチャが、最初に、ファイル内に記憶されるようにステップの順序を修正し得、ルーチンがさらに、ファイル内にさらに記憶するために、デジタルディスプレイデータキャプチャファイルに関して、プログラマブルプロセッサ２４０にクエリを行うことを認識する。
【００３６】
本技術の別の側面では、超音波デバイスを動作させるための方法は、オペレータに便利な方法において、ビデオモダリティと超音波モダリティとの間を変更させることを含む。これらのオペレータとして、例えば、病院ベースの環境（例えば、麻酔科、救命救急、緊急治療室等）内のオペレータ、および現場（例えば、救急救命、軍等）におけるオペレータが挙げられ得る。これらの環境では、応答時間は、重要である。しかしながら、コンピュータディスプレイに接続されるビデオカメラデバイス等の従来のデジタルビデオディスプレイデバイスは、多くの場合、起動、デバイス構成等のために、ある程度の初期化時間を要求する。例えば、ユーザは、典型的には、アイコンをクリックし、ウェブカメラが動作されることができるようになる前に消失するスプラッシュスクリーンを待つ必要がある。加えて、機器空間および／または機器重量も、多くの場合、これらの環境における課題である。カメラデバイスを動作させるために必要とされる付加的機器は、多くの場合、非実践的である。さらに、本付加的機器は、医療グレード認定ではないため、好適ではない。例えば、従来のラップトップ、モバイルデバイス等は、医療グレード認定ではない。
【００３７】
本明細書に説明されるプロセスおよび論理フローは、１つまたは複数のプログラマブルプロセッサが、１つまたは複数のコンピュータプログラムを実行することにより、入力データに作用して出力を生成することによって、アクションを行うことによって行われることができる。プロセスおよび論理フローはまた、特殊目的論理回路、例えば、ＦＰＧＡ（フィールドプログラマブルゲートアレイ）またはＡＳＩＣ（特定用途向け集積回路）によって行われることができ、装置もまた、それらとして実装されることができる。
【００３８】
コンピュータプログラムの実行のために好適なプロセッサとして、一例として、汎用および特殊目的両方のマイクロプロセッサ、および任意の種類のデジタルコンピュータの任意の１つまたは複数のプロセッサが挙げられる。概して、プロセッサは、命令およびデータを読取専用メモリまたはランダムアクセスメモリまたは両方から受信する。コンピュータの不可欠な要素は、命令に従ってアクションを行うためのプロセッサと、命令およびデータを記憶するための１つまたは複数のメモリデバイスである。概して、コンピュータはまた、データを記憶するための１つまたは複数の大容量記憶デバイス（例えば、磁気、磁気光ディスク、または光ディスク）を含み、あるいはそこからデータを受信する、またはそこにデータを転送する、または両方を行うように動作可能に結合される。しかしながら、コンピュータは、そのようなデバイスを有する必要はない。さらに、コンピュータは、別のデバイス、例えば、いくつか挙げると、携帯電話、携帯情報端末（ＰＤＡ）、モバイルオーディオまたはビデオプレーヤ、ゲームコンソール、全地球測位システム（ＧＰＳ）受信機、またはポータブル記憶デバイス（例えば、ユニバーサルシリアルバス（ＵＳＢ）フラッシュドライブ）内に内蔵されることができる。コンピュータプログラム命令およびデータを記憶するために好適なデバイスとして、一例として、半導体メモリデバイス（例えば、ＥＰＲＯＭ、ＥＥＰＲＯＭ、およびフラッシュメモリデバイス）；磁気ディスク（例えば、内部ハードディスクまたはリムーバブルディスク）；磁気光ディスク；ならびにＣＤ−ＲＯＭおよびＤＶＤ−ＲＯＭディスクを含む、あらゆる形態の不揮発性メモリ、媒体およびメモリデバイスが挙げられる。プロセッサおよびメモリは、特殊目的論理回路によって補完される、またはその中に組み込まれることができる。
【００３９】
前述から、本発明の特定の実施形態が、例証の目的のために本明細書に説明されたが、種々の修正が、本発明の精神および範囲から逸脱することなく、行われてもよいことを理解される。故に、本発明は、添付の特許請求の範囲による場合を除き、限定されない。
【図１】
2016511127.tif 000003
【図２】
2016511127.tif 000004
【図３】
2016511127.tif 000005
【図４】
2016511127.tif 000006
【図５】
2016511127.tif 000007
【国際調査報告】
2016511127.tif 000008
2016511127.tif 000009